(57)【要約】【課題】装飾用としての機能も発揮することができる利便性に優れた組立式の卓上カレンダーを提供すること。【解決手段】複数枚のカレンダー用紙Ｓを一辺で回動可能に綴じ合わせてなるカレンダー本体１０と、そのカレンダー本体１０を使用状態で保持するための厚紙製の卓上部材２０とを備える。底板２１の先端部にある溝２８に前面板２３の先端を係止させることで卓上部材２０を屋根状に組み立て、一番上にあるカレンダー用紙Ｓを表に出した状態でカレンダー本体１０を前面板２３のポケット２９に差し込んでたてかける。絵柄や写真の付いた大判のカレンダーを用いてその紙面全体が見える状態で立てかけることができ、日付の確認という基本的な機能を発揮するのに加え、装飾用としての機能を発揮させた状態で使用することができる。【選択図】図２
0003121406.tif 000002
【実用新案登録請求の範囲】
【請求項１】
複数枚のカレンダー用紙を一辺で回動可能に綴じ合わせてなるカレンダー本体と、そのカレンダー本体を使用状態で保持するための厚紙製の卓上部材とを備え、卓上部材はそれぞれがカレンダー本体よりも小さくかつ略同じサイズの底板、背面板、前面板の３枚を折畳み可能な状態で連設したもので、底板はその先端部に前面板の端縁を係止可能な溝を有し、前面板はその前面にカレンダー本体の一部を収納可能な偏平状のポケットを有していることを特徴とする卓上カレンダー。
【考案の詳細な説明】
【技術分野】
【０００１】
本考案は、机や家具などの上に置いて使用される卓上カレンダーの技術分野に属し、詳しくは、組立式の卓上カレンダーに関する。
【背景技術】
【０００２】
従来、この種の卓上カレンダーとして、暦欄を印刷したカレンダー紙葉と表紙などの複数枚のカレンダー用紙と、それらを収納して保持するプラスチック製等の卓上部材とから構成されるタイプのものが広く利用されている。そして、通常、このような卓上カレンダーは、折畳み式の脚部を設けてあり、使用時にはこの折畳み式の脚部を起こして机や家具などの上に立てるようになっている。
【特許文献１】実公昭４−５０１４２号公報
【特許文献２】実開平４−１１６７２号公報
【考案の開示】
【考案が解決しようとする課題】
【０００３】
上記した従来の卓上カレンダーは、該当する月や週に対応したカレンダー紙葉を最表面にして使用するが、あくまでも卓上式ということから、暦欄のみを表示した小サイズのものが殆どである。すなわち、絵柄や写真などを載せた大判のカレンダーを対象としたものは見当たらない。したがって、日付の確認という基本的な機能を発揮する上では特に問題はないが、壁掛けカレンダーのように、カレンダー用紙の絵柄や写真を活かして装飾用としての機能も発揮させることができるという利便性に欠ける。
【０００４】
本考案は、上記のような事情に鑑みてなされたものであり、その目的とするところは、日付の確認という基本的な機能を発揮するのはもちろん、装飾用としての機能も発揮することができる利便性に優れた組立式の卓上カレンダーを提供することにある。
【課題を解決するための手段】
【０００５】
上記の目的を達成するため、本考案の卓上カレンダーは、複数枚のカレンダー用紙を一辺で回動可能に綴じ合わせてなるカレンダー本体と、そのカレンダー本体を使用状態で保持するための厚紙製の卓上部材とを備え、卓上部材はそれぞれがカレンダー本体よりも小さくかつ略同じサイズの底板、背面板、前面板の３枚を折畳み可能な状態で連設したもので、底板はその先端部に前面板の端縁を係止可能な溝を有し、前面板はその前面にカレンダー本体の一部を収納可能な偏平状のポケットを有していることを特徴とする。
【考案の効果】
【０００６】
本考案の卓上カレンダーは、底板の先端部にある溝に前面板の先端を係止させることで卓上部材を屋根状に組み立て、一番上にあるカレンダー用紙を表に出した状態でカレンダー本体を前面板のポケットに差し込んでたてかけることにより、所定のカレンダー用紙の絵柄や写真が見える状態で設置することができるので、絵柄や写真の付いた大判のカレンダーを用いてその紙面全体が見える状態で立てかけることができることから、日付の確認という基本的な機能を発揮するのに加え、装飾用としての機能を発揮させた状態で使用することができる。
【考案を実施するための最良の形態】
【０００７】
以下、図面を参照して本考案の実施の形態を説明する。
【０００８】
図１は本考案に係る卓上カレンダーを構成する部材を示す説明図であり、この図面から分かるように、卓上カレンダーは、複数枚のカレンダー用紙Ｓを一辺で回動可能に綴じ合わせてなるカレンダー本体１０と、そのカレンダー本体１０を立てかけるための厚紙製の卓上部材２０とからなる。
【０００９】
カレンダー本体１０は、暦欄と絵柄等を印刷したカレンダー紙葉と表紙などの複数枚のカレンダー用紙Ｓを回動可能に綴じ合わせたもので、通常の壁掛けカレンダーと同等のものである。ここでは、細い針金でリング１１を形成して複数のカレンダー用紙Ｓを上辺で回動可能に綴じ合わせ、さらにリング１１の中に棒状の太い針金を通し、その針金の中央を湾曲させてフック１２としたタイプの壁掛けカレンダーを用いている。また、カレンダー用紙ＳのサイズはＡ４サイズである。
【００１０】
卓上部材２０は、それぞれがカレンダー本体１０よりも小さくかつ略同じサイズの底板２１、背面板２２、前面板２３の３枚を折畳み可能な状態で連設したものである。すなわち、底板２１と背面板２２は広幅の連結部２４を介して繋がるとともに、背面板２２と前面板２３は狭幅の連結部２５を介して繋がっており、これによって卓上部材２０は三つ折り可能となっている。この卓上部材２０は、上製本で使用される継ぎ表紙を応用したものが好適である。
【００１１】
そして、卓上部材２０における底板２１の先端には所定の幅で折り返して接着した折返し部分２６が形成されるとともに、その折返し部分２６と隙間を置いて帯状紙片２７が平行に貼り合わせられており、この両者によって底板２１の先端部には前面板２３の端縁が係止するための溝２８が設けられている。また、前面板２３はその前面にカレンダー本体１０の一部を収納可能な偏平状のポケット２９を有している。このポケット２９は、板紙からなり一辺に開口２９ａを有する箱を前面板２３の前面に貼り付けることで形成されるが、図示のように、前面板２３の先端付近にポケット２９の底がくるように、また前面板２３の背面板２２側に広い間隔ができる状態で設置する。すなわち、前面板２３の先端部分が溝２８に嵌まるようにするため、前面板２３の先端から少し間隔を置いてポケット２９を貼り付ける。
【００１２】
この卓上カレンダーは、背面板２２の上にカレンダー本体１０を載せ、必要に応じてその他の付録等を一緒にし、その上から前面板２３と底板２１を順に重ねるようにして卓上部材２０を三つ折り状態で折り畳み、しかる後に全体をシュリンク包装する。そして、このシュリンク包装した状態で出荷する。このように折り畳んだ状態では、背面板２２と前面板２３の間にカレンダー本体１０が入り、前面板２３と底板２１の間ではポケット２９のないところに折返し部分２６と帯状紙片２７が位置するので、全体がほぼ広幅の連結部２４の厚みの偏平状になり、あたかも写真集のような本の形態となる。
【００１３】
この卓上カレンダーを使用するに際しては、図２に示すように、卓上部材２０を組み立ててスタンドとし、その前面板２３のポケット２９にカレンダー本体１０を差し込む。すなわち、底板２１の先端部にある溝２８に前面板の先端を係止させることで卓上部材２０を屋根状に組み立て、一番上にあるカレンダー用紙Ｓを表に出した状態でカレンダー本体１０を前面板２３のポケット２９に差し込んでたてかける。
【００１４】
図３に卓上カレンダーの使用状態を示す。このように、一番上のカレンダー用紙Ｓが外に出た状態となるので、絵柄や写真の付いたＡ４サイズのカレンダー用紙Ｓの全体が見える状態で設置することができる。したがって、日付の確認という基本的な機能を発揮するのに加え、装飾用としての機能を発揮させた状態で使用することができる。
【００１５】
また、上記の卓上カレンダーは、カレンダー本体１０をそのリング１１についているフック１２を利用して壁にかけることもでき、スタンド状に組み立てた卓上部材２０のポケットに好きなものを立てることもできる。また、図４に示すように、卓上部材２０の中面を屏風にみたてて立てるなど、自由に使うことができる。
【００１６】
なお、カレンダー本体１０を週めくりにするか月めくりにするか、絵柄や写真の配置をどうするか、サイズをどうするか、などについては必要に応じて適宜決めればよい。
【００１７】
以上、本考案の実施の形態について詳細に説明してきたが、本考案による卓上カレンダーは、上記実施の形態に何ら限定されるものではなく、本考案の趣旨を逸脱しない範囲において種々の変更が可能であることは当然のことである。
【図面の簡単な説明】
【００１８】
【図１】本考案に係る卓上カレンダーを構成する部材を示す説明図である。
【図２】図１の卓上カレンダーを組み立てる途中の状態を示す説明図である
【図３】図１の卓上カレンダーを使用状態で示す斜視図である。
【図４】卓上カレンダーを構成する卓上部材の別の使い方を示す説明図である。
【符号の説明】
【００１９】
Ｓ  カレンダー用紙
１０  カレンダー本体
１１  リング
１２  フック
２０  卓上部材
２１  底板
２２  背面板
２３  前面板
２４，２５  連結部
２６  折返し部分
２７  帯状紙片
２８  溝
２９  ポケット
【図１】
0003121406.tif 000003
【図２】
0003121406.tif 000004
【図３】
0003121406.tif 000005
【図４】
0003121406.tif 000006